(57)【要約】      （修正有）【課題】異なるスレッドの刃部斜面の交換が簡単であり、その定位と駆動構成により、ねじタップを所定の形状に研磨加工され、簡易な操作が得られる研磨装置を提供する。【解決手段】ねじタップ研磨座２０は、調整台２１上に、固定孔２２４を有する起立板２２が設けられ、固定孔２２４の側縁に、位置付け柱２３と、固定孔内に設けられ、末段が、斜面であるリング状突縁である偏心の調整スリーブ３０と、が設けられ、調整スリーブ３０の偏心位置に、上記リング状突縁端に面して、位置付け柱に抵当する凹槽３４が設けられ、凹槽３４のリング状突縁に対応する一側に、少なくとも一つの定位部材３５と、傾斜穴３２内に嵌設され、外挟み持ち４１を有する治具４０と、が備えられ、外挟み持ち４１に、更に、拡大筒部４１２が設けられ、拡大筒部４１２の外側面の周りの前段に、複数の平削り部４１４が設けられて、それらの定位部材３５が挟み持たれて定位される。【選択図】図２
0003146683.tif 000002
【実用新案登録請求の範囲】
【請求項１】
少なくとも、
出力軸に砥石車が設置されるモータが設けられ、上記砥石車の周縁が、円滑な平面で、また、上記砥石車の周側面に、径方向に研磨面が形成される基座と、
上記基座上の上記砥石車の一側に設けられ、更に、調整台と起立板が備えられ、上記調整台が、上記基座上に枢着され、また、上記調整台の一側に、調整ボルトが枢着され、上記調整ボルトによる調整により、上記調整台が、上記出力軸の軸方向に沿って移動し、上記ねじタップ研磨座の送り量を調整し、また、上記調整台の所定の位置に、上記起立板が設けられ、上記起立板の中央に、固定孔が貫設され、上記固定孔の一側の辺縁に、位置付け柱が設けられ、上記起立板の底部において、砥石車の近くに、支軸が枢着され、上記支軸に対向するもう一端に、調整円弧槽が設けられて、上記起立板の研磨角度を調整し、また、上記起立板が、所定の傾き角度になるねじタップ研磨座と、
リング状槽を有する前段で上記固定孔内に嵌合され、上記リング状槽に固定部材が嵌合されることにより、上記固定孔内に位置付けられ、その中央部に、偏心且つ斜めに延びる傾斜穴が形成され、また、末段が、斜面であるリング状突縁であり、偏心において、上記リング状突縁端に面して凹槽が設けられ、上記凹槽が、上記位置付け柱に抵当して、上記調整スリーブが往復回転する距離が制限され、また、上記凹槽において、上記リング状突縁のもう一端に、少なくとも定位部材が設けられる調整スリーブと、
中央に、貫通穴が貫設され、上記調整スリーブの傾斜穴内に嵌設され、研磨待ちのねじタップが貫設定位され、外挟み持ちと弾性挟み持ち部材及び結合筒が備えられ、上記外挟み持ちに、上記弾性挟み持ち部材が嵌合されて、上記弾性挟み持ち部材内のねじタップが挟み持たれ、また、上記外挟み持ちから、後へ拡大筒部が伸び、上記拡大筒部が、上記結合筒と、互いにロックされ、また、上記拡大筒部の外側面の周りの前段に、複数の平削り部が設けられ、それらの平削り部が、ねじタップのスレッド数によって決められ、また、それらの平削り部が、上記調整スリーブのそれらの定位部材に対応して、それらの定位部材が挟み持たれて定位され、上記ねじタップが、それらの平削り部を設置することにより上記ねじタップの各スレッドの刃部斜面を研磨する治具と、が備えられる、ことを特徴とするねじタップの研磨装置。
【請求項２】
上記位置付け柱が、上記固定孔の外一側縁の左下端にある所定の位置に設けられ、正ネジ山を研磨することを特徴とする請求項１に記載のねじタップの研磨装置。
【請求項３】
上記位置付け柱が、上記固定孔の外一側縁の右上端にある所定の位置に設けられ、逆ネジ山を研磨することを特徴とする請求項１に記載のねじタップの研磨装置。
【請求項４】
上記調整ボルトに、正確に送り量を調整するための目盛りが設けられることを特徴とする請求項１に記載のねじタップの研磨装置。
【請求項５】
上記拡大筒部の外側面の前段の周りに、少なくとも三つ以上の平削り部が設けられることを特徴とする請求項１に記載のねじタップの研磨装置。
【考案の詳細な説明】
【技術分野】
【０００１】
本考案は、研磨装置に関し、特に、操作が簡易で、完全に任意のサイズや角度を研磨できるねじタップの研磨装置に関する。
【背景技術】
【０００２】
従来のねじタップは、大型のねじタップ研磨専用加工研磨機を利用し、それは、複雑の定位調整構成と伝達構成を利用して、研磨作業を行い、全体として、研磨精度が高く．加工速度が早く、そして、同時に大量加工できるため、大型メーカ等のねじタップの使用量が大きい場合に適用する。しかしながら、従来のねじタップ研磨機は、体積が大きく．生産コストが高く、そのメンテナンス費用も高く、専門技術者により整備することなどのように、制限条件が多いため、経済的とは言えず、また、小型加工の作業要求に満たさなく、また、消費者が、ねじタップを購入しても、短期に使用すると、適用できる研磨機がないため、ねじタップが磨耗して再利用できず、そのため、生産コストの増大ばかりを招致する。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、ねじタップの研磨装置を提供し、上記研磨装置は、体積が小さいため、利用や携帯に便利であるだけでなく、生産コストが低く、それらの平削り部が、ねじタップのスレッド数により決められるため、研磨待ちのねじタップに応じて、異なるスレッドの刃部斜面の交換が簡単であり、その定位と駆動構成により、ねじタップを所定の形状に研磨加工され、最も簡易な操作が得られる。
【課題を解決するための手段】
【０００５】
請求項１の考案は、少なくとも、出力軸に砥石車が設置されるモータが設けられ、上記砥石車の周縁が、円滑な平面で、また、上記砥石車の周側面に、径方向に研磨面が形成される基座と、上記基座上の上記砥石車の一側に設けられ、更に、調整台と起立板が備えられ、上記調整台が、上記基座上に枢着され、また、上記調整台の一側に、調整ボルトが枢着され、上記調整ボルトによる調整により、上記調整台が、上記出力軸の軸方向に沿って移動し、上記ねじタップ研磨座の送り量を調整し、また、上記調整台の所定の位置に、上記起立板が設けられ、上記起立板の中央に、固定孔が貫設され、上記固定孔の一側の辺縁に、位置付け柱が設けられ、上記起立板の底部において、砥石車の近くに、支軸が枢着され、上記支軸に対向するもう一端に、調整円弧槽が設けられて、上記起立板の研磨角度を調整し、また、上記起立板が、所定の傾き角度になるねじタップ研磨座と、リング状槽を有する前段で上記固定孔内に嵌合され、上記リング状槽に固定部材が嵌合されることにより、上記固定孔内に位置付けられ、その中央部に、偏心且つ斜めに延びる傾斜穴が形成され、また、末段が、斜面であるリング状突縁であり、偏心において、上記リング状突縁端に面して凹槽が設けられ、上記凹槽が、上記位置付け柱に抵当して、上記調整スリーブが往復回転する距離が制限され、また、上記凹槽において、上記リング状突縁のもう一端に、少なくとも定位部材が設けられる調整スリーブと、中央に、貫通穴が貫設され、上記調整スリーブの傾斜穴内に嵌設され、研磨待ちのねじタップが貫設定位され、外挟み持ちと弾性挟み持ち部材及び結合筒が備えられ、上記外挟み持ちに、上記弾性挟み持ち部材が嵌合されて、上記弾性挟み持ち部材内のねじタップが挟み持たれ、また、上記外挟み持ちから、後へ拡大筒部が伸び、上記拡大筒部が、上記結合筒と、互いにロックされ、また、上記拡大筒部の外側面の周りの前段に、複数の平削り部が設けられ、それらの平削り部が、ねじタップのスレッド数によって決められ、また、それらの平削り部が、上記調整スリーブのそれらの定位部材に対応して、それらの定位部材が挟み持たれて定位され、上記ねじタップが、それらの平削り部を設置することにより上記ねじタップの各スレッドの刃部斜面を研磨する治具と、が備えられる、ことを特徴とするねじタップの研磨装置である。
【０００６】
請求項２の考案は、上記位置付け柱が、上記固定孔の外一側縁の左下端にある所定の位置に設けられ、正ネジ山を研磨することを特徴とする請求項１に記載のねじタップの研磨装置である。
【０００７】
請求項３の考案は、上記位置付け柱が、上記固定孔の外一側縁の右上端にある所定の位置に設けられ、逆ネジ山を研磨することを特徴とする請求項１に記載のねじタップの研磨装置である。
【０００８】
請求項４の考案は、上記調整ボルトに、正確に送り量を調整するための目盛りが設けられることを特徴とする請求項１に記載のねじタップの研磨装置である。
【０００９】
請求項５の考案は、上記拡大筒部の外側面の前段の周りに、少なくとも三つ以上の平削り部が設けられることを特徴とする請求項１に記載のねじタップの研磨装置である。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図１乃至図３は、本考案に係るねじタップの研磨装置のより良い実施例であり、上記ねじタップ研磨装置は、主として、基座１０とねじタップ研磨座２０と調整スリーブ３０及び治具４０を有し、
上記基座１０は、出力軸１２に動力源により駆動される砥石車１３が設置されるモータ１１が設けられ、上記砥石車１３の周縁１３１が、円滑な平面であり、また、上記砥石車１３の周側面に、径方向に研磨面１３２が形成される。
【００１２】
上記ねじタップ研磨座２０は、上記基座１０上の上記砥石車１３の一側に設けられ、更に、調整台２１と起立板２２が備えられ、上記調整台２１が、上記基座１０上に枢着され、また、上記調整台２１の一側に、調整ボルト２１１が枢着され、上記調整ボルト２１１による調整により、上記調整台２１が、上記出力軸１２の軸方向に沿って移動し、上記ねじタップ研磨座２０の送り量を調整し、また、上記調整台２１の所定の位置に、上記起立板２２が設けられ、上記起立板２２の中央に、固定孔２２４が貫設され、上記固定孔２２４の一側の辺縁に、位置付け柱２３が設けられ、本考案のより良い実施例において、上記位置付け柱２３が、上記固定孔２２４の左下端に位置し、正ネジ山のねじタップ５０を研磨し、また、上記起立板２２の底部において、砥石車１３の近くに、支軸２２１が枢着され、上記起立板２２の底部において、上記支軸２２１に対向するもう一端に、調整円弧槽２２２が設けられて、上記調整円弧槽２２２上に調整ボルト２２３がロックされ、上記調整円弧槽２２２により上記起立板の研磨角度を調整して、上記起立板２２が、所定の傾き角度になる。
【００１３】
上記調整スリーブ３０は、リング状槽３１を有する前段で、上記固定孔２２４内に嵌合され、上記リング状槽３１に固定部材１４とガスケット１４１が嵌合されることにより、上記固定孔２２４内に位置付けられ、上記調整スリーブ３０の中央部に、偏心且つ斜めに延びる傾斜穴３２が形成され、また、上記調整スリーブ３０の末段は、斜面であるリング状突縁３３であり、上記調整スリーブ３０の偏心において、上記リング状突縁３３端に面して凹槽３４が設けられ、上記凹槽３４が、上記位置付け柱２３に抵当して、上記調整スリーブ３０が往復回転する距離が制限され、また、上記凹槽３４の両端において、上記リング状突縁３３のもう一端に、少なくとも一つの定位部材３５が設けられ、本考案のより良い実施例において、二つの柱体状である定位部材３５が設けられる。
【００１４】
上記治具４０は、中央に、貫通穴が貫設され、上記調整スリーブ３０の傾斜穴３２内に嵌設され、研磨待ちのねじタップ５０が貫設定位され、外挟み持ち４１と弾性挟み持ち部材４２及び結合筒４３が備えられ、上記外挟み持ち４１内が、前へ向かって縮小する縮径穴４１１が形成され、上記縮径穴４１１に、端部に向かって縮小して、複数の弾性シート４２１からなる弾性挟み持ち部材４２の前段部が嵌設されて、上記ねじタップ５０が、上記弾性挟み持ち部材４２内に挟み持たれ、また、上記外挟み持ち４１から、後へ向かって拡大筒部４１２が伸び、上記拡大筒部４１２に内ネジ４１３が形成され、更に、上記結合筒４３の前段に外ネジ４３１が形成されることにより、上記内ネジ４１３にロックされて、上記ねじタップ５０が、上記治具４０内に挟み持たれて固定され、また、上記外挟み持ち４１の拡大筒部４１２の外側面の前段に、所定の距離を開けて複数の平削り部４１４が設けられ、それらの平削り部４１４は、ねじタップ５０のスレッド５１数によって決められ、本実施例において、三つのスレッド５１を有するねじタップ５０を研磨し、そのため、上記拡大筒部４１２の外側面に、三つの平削り部４１４が設けられ、また、上記調整スリーブ３０の定位部材３５に対応するように設置され、それらの平削り部４１４により、上記定位部材３５が挟み持たれて定位され、そして、それらの平削り部４１４を設置することにより、上記ねじタップ５０に対して、簡単に異なるスレッド５１の刃部斜面５２を交換して研磨できる。
【００１５】
ねじタップ５０を研磨する時、まず、上記調整スリーブ３０の凹槽３４を、上記位置付け柱２３に対応して、上記固定孔２２４内に嵌入し、これにより、上記調整スリーブ３０が、緊密に上記ねじタップ研磨座２０上に嵌設され、引いて、ねじタップ５０が挟み持たれた治具４０を、上記定位部材３５が、任意の平削り部４１４に対応するように、上記調整スリーブ３０の傾斜穴３２内に貫設し、これにより、上記研磨待ちのねじタップ５０の用意が完成され、ねじタップ５０の研磨動作を開始でき、図４Ａと図４Ｂのように、ねじタップ５０のスレッド５１の刃部斜面５２を研磨する場合、上記調整ボルト２１１を調整して前へ上記調整台２１を移動させ、これにより、上記ねじタップ研磨座２０が前へ移動されて、ねじタップが、砥石車１３へ接近して研磨でき、また、研磨する時、上記調整台２１を調整して、適当にねじタップ５０研磨時の送り量を増加させ、その後、上記治具４０を回転させ、上記治具４０が、調整スリーブ３０により連動され、また、上記調整スリーブ３０は、位置付け柱２３の抵当により、上記治具４０が、所定の距離内で、往復運動でき、上記ねじタップ研磨座２０により、研磨する上記ねじタップ５０の一スレッド５１の刃部斜面５２が位置付けされ、図５Ａと図５Ｂのように、上記スレッド５１の刃部斜面５２が研磨完成されると、上記治具４０を引き出して、上記定位部材３５を外挟み持ち４１のもう一つの平削り部４１４に挟み変え、もう一つのスレッド５１の刃部斜面５２を研磨でき、上記治具４０は、ねじタップ５０のスレッド５１２数に応じて、異なる平削り部４１４数を有する外挟み持ち５１を交換でき、同時に、上記調整ボルト２２３で、上記調整円弧槽２２２を調整して、適当にその研磨斜度を調整できる。
【００１６】
図６は、本考案の他の実施例であり、その構造は、本考案のより良い実施例とほぼ同じであり、異なる箇所は、上記ねじタップ研磨座２０の固定孔２２４の外一側縁にある位置付け柱２３が、右上端の所定の位置に設置され、上記のように設置されることにより、逆ネジ山のねじタップ５０を研磨できる。
【００１７】
本考案によれば、次の予期効果が得られる。
【００１８】
１、本考案に係る研磨装置は、体積が小さくてコストが低減され、非常に簡単な定位と駆動構成により、ねじタップを、所定の形状に研磨加工でき、操作が簡単である。
【００１９】
２、本考案によれば、上記調整スリーブのリング状突縁の内側に、上記凹槽が設けられ、上記位置付け柱で上記凹槽に抵当することにより、上記治具の往復回転距離が制限され、これにより、研磨されるねじタップの各スレッドの刃部斜面が位置付けされる。
【００２０】
３、本考案によれば、調整スリーブに、任意の平削り部に挟み持たれた定位部材が設けられ、研磨待ちのねじタップは、便利に異なるスレッドの刃部斜面を交換して研磨できる。
【００２１】
４、本考案によれば、治具は、ねじタップのスレッド数に応じて、異なる平削り部数を有する外挟み持ちを交換できる。
【００２２】
５、本考案によれば、固定孔の外一側縁の位置付け柱は、左下端や右上端の所定の位置に設置され、そのため、上記研磨装置は、正ネジ山と逆ネジ山のねじタップを研磨できる。
【００２３】
６、本考案によれば、研磨する時、更に、上記調整ボルトを調整して上記調整台を前へ移動させ、これにより、ねじタップ研磨時の送り量が増大され、また、上記調整円弧槽を調整して、その研磨斜度を調整できる。
【００２４】
そのため、本考案は、より進歩的かつより実用的で、法に従って実用新案登録請求を出願する。
【００２５】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２６】
【図１】本考案のより良い実施例の外観図
【図２】本考案のより良い実施例の分解図
【図３】本考案のより良い実施例の組立て後の側面図
【図４Ａ】本考案のより良い実施例の調整スリーブの使用概念図
【図４Ｂ】本考案のより良い実施例の調整スリーブの他の使用概念図
【図５Ａ】本考案のより良い実施例の治具使用概念図
【図５Ｂ】本考案のより良い実施例の治具の他の使用概念図
【図６】本考案の更に他のより良い実施例の使用概念図
【符号の説明】
【００２７】
１０    基座
１１    モータ
１２    出力軸
１２２  周縁
１３    砥石車
１３２  研磨面
１４    固定部材
１４１  ガスケット
２０    ねじタップ研磨座
２１    調整台
２１１  調整ボルト
２１２  目盛り
２２    起立板
２２１  支軸
２２２  調整円弧槽
２２３  調整ボルト
２２４  固定孔
２３    位置付け柱
３０    調整スリーブ
３１    リング状槽
３２    傾斜穴
３３    リング状突縁
３４    凹槽
３５    定位部材
４０    治具
４１    外挟み持ち
４１１  縮径穴
４１２  拡大筒部
４１３  内ネジ
４１４  平削り部
４２    弾性挟み持ち部材
４２１  弾性シート
４３    結合筒
４３１  外ネジ
５０    ねじタップ
５１    スレッド
５２    刃部斜面
【図１】
0003146683.tif 000003
【図２】
0003146683.tif 000004
【図３】
0003146683.tif 000005
【図４Ａ】
0003146683.tif 000006
【図４Ｂ】
0003146683.tif 000007
【図５Ａ】
0003146683.tif 000008
【図５Ｂ】
0003146683.tif 000009
【図６】
0003146683.tif 000010